(57)【要約】【課題】ＡＴＭで強奪等の不正行為に遭遇したとき、ＡＴＭの紙幣に着色した特殊液を噴射して汚損させる液体噴射装置において、交換や補充が必要な部分のみを取り替えるか、或いは補充し、その他の部品は再使用できるようにする。【解決手段】円筒形の容器１の一端に凹形のピストン２を摺動可能に装着すると共に、ホルダー３を捩じ込んで取付け、ピストン２の凹部にガス発生剤８を装填する。容器１の他端にはホルダー５が捩じ込んで取り付けられ、ホルダー間の容器内には特殊液が入れられる蛇腹状のチューブ６が納められ、チューブ６の出口２３には蓋２４が嵌着される。ガス発生剤８に点火してガスが発生すると、ガス圧によりピストン２が移動し、チューブ６を圧縮して、その圧力で蓋２４が破断し、チューブ内の特殊液を排出させる。部品の補充、交換はホルダー３、５を取外して行う。【選択図】図１
2011018273.tif 000002
【特許請求の範囲】
【請求項１】
円筒形の容器と、該容器に納められ、紙幣汚損用の特殊液が入れられるチューブと、前記容器の一端に摺動可能に装着されるピストンと、前記容器の一端を塞ぐべく、該一端に取付けられる第１のホルダーと、該ホルダーと前記ピストンの間に形成される空間内に配置され、強奪等の不正行為を検出したときの検出信号に基づいてガスを一挙に発生させ、そのガス圧により前記ピストンを移動させて前記チューブを押込むガス発生手段と、前記容器の他端を塞ぐべく、該他端に取付けられ、特殊液を噴出するノズルと管を介して接続される接続口を供えた第２のホルダーと、前記ピストンの移動によりチューブが押込められて圧縮し、圧縮力が設定量に達したとき、チューブ内の特殊液を前記接続口に吐出させる吐出手段を有し、前記第１のホルダーと第２のホルダーは少なくとも一方のホルダーが前記容器に捩じ込まれ、取外し可能とされることを特徴とする液体噴射装置。
【請求項２】
前記吐出手段がチューブに形成され、前記接続口に接続される吐出口と、該吐出口に取付けられ、チューブの圧縮力が設定値に達したときに破断する蓋より構成されることを特徴とする請求項１記載の液体噴射装置。
【請求項３】
前記チューブが蛇腹状をなすことを特徴とする請求項１又は２記載の液体噴射装置。
【請求項４】
前記第１のホルダーとピストンとの間に形成される空間がガス漏れのない密閉空間を構成することを特徴とする請求項１ないし３記載の液体噴射装置。
【発明の詳細な説明】
【技術分野】
【０００１】
本発明は、現金自動預け払い機ＡＴＭ、自動販売機等（以下、単にＡＴＭ等という）で強奪等の不正行為に遭遇したとき、ＡＴＭ等の紙幣に特殊液を噴射して汚損させる液体噴射装置に関する。
【背景技術】
【０００２】
ＡＴＭ等で強奪等の不正行為に遭遇したとき、ＡＴＭ等の紙幣に着色した特殊液を噴射させて紙幣を汚損させる、といった防犯対策は、その紙幣を以後使用できなくなるようにしたり、犯人を割り出したりするうえで有効である。この防犯対策に用いる紙幣汚損用の特殊液を噴射させる装置として、特許文献１には、有底の円筒形容器を可動円板で仕切って、一方の室にガス発生器、他方の室に特殊液の貯蔵袋を配置し、強奪等の不正行為を検出したとき、その検出信号に基づいてガス発生器が一定量のガスを一挙に吹き出し、そのガス圧で可動円板を押し動かして特殊液の貯蔵袋を圧縮し、前記容器の出口を塞ぐ口栓の鋭利な口先部に押付けて破袋させ、貯蔵袋内の特殊液を口栓の液出口を通し、ノズルから紙幣に噴射させる装置が開示されている。
【先行技術文献】
【特許文献】
【０００３】
【特許文献１】特開２００６−１５９０１２号
【発明の概要】
【発明が解決しようとする課題】
【０００４】
前記装置で用いられる着色した特殊液は、経年変化により何年かに一度、定期的に交換することが必要とされるが、前記装置の容器は有底の円筒形で、出口には口栓がかしめ付けされているため、装置を分解して特殊液やガス発生器を交換することができないか、交換することがきわめて困難である。そのため取換時期になると、装置自体を取換え、取換えた使用済みの装置は廃棄せざるを得ず、廃棄するにも処理費用が必要である。
【０００５】
本発明は、上記の問題を解決するためになされたもので、その目的は分解が可能で、交換或いは補充が必要な部品のみを取換えるか、或いは補充し、その他の部品はそのまま再使用することができる液体噴射装置を提供することを目的とする。
【課題を解決するための手段】
【０００６】
請求項１に係わる発明は、円筒形の容器と、該容器に納められ、紙幣汚損用の特殊液が入れられるチューブと、前記容器の一端に摺動可能に装着されるピストンと、前記容器の一端を塞ぐべく、該一端に取付けられる第１のホルダーと、該ホルダーと前記ピストンの間に形成される空間内に配置され、強奪等の不正行為を検出したときの検出信号に基づいてガスを一挙に発生させ、そのガス圧により前記ピストンを移動させて前記チューブを押込むガス発生手段と、前記容器の他端を塞ぐべく、該他端に取付けられ、特殊液を噴出するノズルと管を介して接続される接続口を供えた第２のホルダーと、前記ピストンの移動によりチューブが押込められて圧縮し、圧縮力が設定値に達したとき、チューブ内の特殊液を前記接続口に吐出させる吐出手段を有し、前記第１のホルダーと第２のホルダーは少なくとも一方のホルダーが前記容器に捩じ込まれ、取外し可能とされることを特徴とし、
請求項２に係わる発明は、請求項１に係わる発明の吐出手段がチューブに形成され、前記接続口に接続される吐出口と、該吐出口に取付けられ、チューブの圧縮力が設定値に達したときに破断する蓋より構成されることを特徴とする。
【０００７】
請求項３に係わる発明は、請求項１又は２に係わる発明において、前記チューブが蛇腹状をなすことを特徴とし、
請求項４に係わる発明は、請求項１ないし３に係わる発明において、第１のホルダーとピストンとの間に形成される空間がガス漏れのない密閉空間を構成することを特徴とする。
【発明の効果】
【０００８】
請求項１に係わる発明において、特殊液の交換或いは補充は、第１のホルダーと第２のホルダーのうち、少なくとも一方を螺脱して取外したのち、容器内からチューブを取り出し、チューブごと取り換えるか、又は容器から取出したチューブに特殊液を入れ換え、或いは補充する方法、第２のホルダーを螺脱して取外したのち、容器内にチューブを装着したまま吐出手段を通じてチューブ内の特殊液の入れ換えにより行う方法などによって行われる。ガス発生手段の交換及び補充についても第１のホルダーを螺脱して取外すことにより行われる。本発明によると、ホルダーを取外すことによりチューブ、特殊液或いはガス発生手段の交換のみを行うことができ、他の部品はそのまま再使用することができる。
【０００９】
請求項２に係わる発明においては、チューブが押込まれて、その圧力が設定値に達したとき蓋が破断し、これよりチューブ内の特殊液が第２のホルダーの接続口に吐出されるが、チューブは破袋されないので、容器内面、チューブ外面、ピストン等が汚れることがなく、洗浄も必要としないし、ピストンの摺動面に特殊液が入り込んで、ピストンのスムースな動きを阻害する、といった問題も生じない。
【００１０】
請求項３に係わる発明のように、チューブを蛇腹状にすると、チューブが折り畳み易くなると共に、容器との接触による摩擦抵抗が少なくなるため、ピストンを移動させるために要するガス発生手段により発生するガスの圧力を小さくし、ガス漏れを生じにくくすることができる。
請求項４に係わる発明によると、ガス発生手段によって発生したガスのガス漏れが生じない。
【図面の簡単な説明】
【００１１】
【図１】本発明に係わる液体噴射装置の部分断面正面図。
【図２】同装置の分解斜視図。
【図３】図１のａ部の詳細図。
【図４】蓋の側面図。
【発明を実施するための形態】
【００１２】
以下、本発明の実施形態の液体噴射装置について図面により説明する。
図１は、液体噴射装置の全体構成を示すものであり、図２は同装置の分解斜視図を示すもので、該装置は図示するように、円筒形の容器１を有し、容器１の一端にはピストン２が摺動可能に装着されると共に、第１のホルダー３が取付けられて容器一端を塞ぐ一方、容器他端にはチューブホルダー４が嵌着されると共に、第２のホルダー５が取付けられて容器他端を塞ぎ、ピストン２とチューブホルダー４間の容器内には特殊液が充填される蛇腹状のチューブ６が納められている。以下、これらの各部分について順に詳述する。
【００１３】
ピストン２は凹形をなして凹部にガス発生手段としてのガス発生剤８を装填できるようにしてあり、外周面には容器１との間をシールするためのｏリング７が嵌着されている。前記ガス発生剤８としては、加熱するとガスを発生させるもの、例えばチタン等の金属よりなる還元剤と、金属酸化物よりなる酸化剤と、硫酸アルミニウムアンモニウム水塩と少量の粘結剤よりなるもの、アジ化ナトリウム等が用いられるが、このなかでは前者の還元剤、酸化剤、硫酸アルミニウムアンモニウム水塩等よりなるガス発生剤を用いるのが好ましい。こうしたガス発生剤は加熱することによりガス化するが、常温に戻ったときに分解生成物が気体から固体又は液体に状態変化を起し、そのため容器１内の圧力が下がり、ホルダー３を外すときにガスが噴出する、といったトラブルを回避することができるからである。
【００１４】
前述のガス発生剤８は粉粒状のまま、ピストン２の凹部に装填するようにしてもよいが、好ましくは顆粒状又はペレット状に加工して装填される。
第１のホルダー３はキャップ状をなして、容器一端の外周に捩じ込んで取付けられ、中央部には、スクイブ（点火装置）１１を取付けたスクイブホルダー１２が捩じ込まれ、スクイブ１１は図示しない制御装置と、リード線１３により接続され、ＡＴＭ等が強奪等の不正行為に遭遇したとき、これを検出した検出信号により制御装置がスクイブ１１を点火させ、これによりガス発生剤８が着火してガスを発生させるようになっている。
【００１５】
ガスの発生によって移動するピストン２と第２のホルダー３との間に形成される空間は、容器一端の端面とホルダー３との間に装着される環状のパッキン１４、前記ｏリング７及びスクイブホルダー１２とホルダー３との間に嵌着されるｏリング１５によってシールされ、密閉空間となるため、ガス発生時にガスが漏れ出ることはない。
【００１６】
容器他端に取外し可能に嵌着されるチューブホルダー４は、軸心に段付穴１８を有し、その大径部にはネジが切られている。
【００１７】
第２のホルダー５は、第１のホルダー３と同様、キャップ状をなし、容器他端の外周に捩じ込んで取付けられるようになっており、軸心には図示しない特殊液噴出用のノズルと管を介して接続され、接続口としてのチューブフィット１９を取付け、第２のホルダー５を容器他端に取付けた状態において、チューブフィット１９はチューブホルダー４の前記段付穴１８に接続されるようになっている。図中、２１はシーリング剤を示す。
【００１８】
チューブ６は一端がピストン２に当てられ、他端は図３に詳細に示されるように、端面の軸心に突出される吐出口２３がチューブホルダー４の段付穴１８のネジが切られた大径部に捩じ込んで連結されている。そして吐出口２３には、該吐出口２３と共に吐出手段を構成する凹形断面の蓋２４が嵌着されて前記吐出口２３を封止し、蓋２４には一側面にノッチ２５が中央から放射状に入れられている（図４）。チューブ６にはまた、紙幣を汚損させる着色した特殊液が入れられている。
【００１９】
前記実施形態の吐出手段は、チューブ端の吐出口２３と蓋２４とで構成されているが、特許文献１に開示されるようなチューブホルダー４又は第２のホルダー５に突設される鋭利な口先部で構成し、チューブ６がピストン２に押込まれて圧縮したとき、口先部に押付けられ、該口先部で突き破られるようにして、チューブ内の特殊液が口先部よりチューブフィット１９に吐出されるようなものであってもよい。
【００２０】
本装置は以上のように構成され、スクイブ１１が点火され、これによりガス発生剤８が点火すると、瞬時にガスが一挙に発生する。ガスの膨張による圧力によりピストン２が図１の左方向に移動し、チューブ６を押込んで圧縮させる。圧縮力が設定値に達したとき、例えば圧縮により増加するチューブ内の圧力が設定値に達すると、蓋２４がノッチ２５部分で破断される。これによりチューブ内の特殊液がチューブ内の圧力により第２のホルダー５のチューブフィット１９に吐出され、図示しない管を経てノズルより噴出する。そして紙幣を汚損させる。
【００２１】
本装置によると、チューブ内の特殊液の交換は、例えば第２のホルダー５を容器１より螺脱して取外すことによりチューブ６をチューブホルダー４と共に容器１より取出し、チューブごと取り換えることによって行われるか、或いはチューブホルダー４と蓋２４を取外し又は蓋２４に穴を開けてチューブ内の特殊液を排出し、新たな特殊液を入れることにより行われ、またガス発生剤の交換は、第１のホルダー３を螺脱して取外すことにより行われる。以上のように特殊液の交換とガス発生剤の交換は、第１及び第２のホルダー３及び５を取外して行われるが、一方のホルダー３又は５を取外すことによっても行うことができる。例えば第１のホルダー３とピストン２を取外してからチューブ６を取出して行うこともできるし、第２のホルダー５、チューブホルダー４及びチューブ６、ピストン２を順に取出してから行うこともできる。使用済の装置に特殊液及びガス発生剤を補充する場合も同様の手順により行うことができる。
【００２２】
以上のように本発明の液体噴射装置は、第１のホルダー３と第２のホルダー５のうち、少なくとも一方を螺脱して取外すことにより分解して必要な部品のみを取り換えるか、補充するだけでよく、他の部品はそのまま再使用することができ、廃棄しなくてもよいこと、ガスの発生によるガス圧の上昇によりピストン２は容器内を移動するが、この移動によって容器１とホルダー３との間に形成される空間は密閉空間をなすため発生したガスが漏れ出ることがないこと、チューブ６は蛇腹状をなすため容器内に折り込まれ、しかも容器内面との接触面積が小さく、チューブ６の移動に対する摩擦抵抗が小さくなるため、ピストン２を移動させるためのガス圧が小さくて済み、ガス漏れが生じにくくなること、ピストン２の移動による容器内のエアの圧力上昇は、エアがチューブホルダー４とチューブ６端面との間及びチューブホルダー４の段付穴１８のネジと吐出口２３のネジとの間を通り、チューブフィット１９、管及びノズルを経て排出されることにより防がれるため、ピストン２の動きに支障を生じることがないこと、蓋２４が破断されると、特殊液はチューブ内の圧力によりチューブフィット１９に吐出され、容器内に入り込むことはないため、容器１、チューブ６、ピストン２等を汚すことはなく、またピストン２と容器１との摺接面に入り込んでピストン２の動きを損なうことがない。そのため特殊液を吐出した使用後の装置を再使用する際、容器内を洗浄しなくてもよくなること等の効果を有する。
【符号の説明】
【００２３】
１・・容器
２・・ピストン
３・・第１のホルダー
４・・チューブホルダー
５・・第２のホルダー
６・・チューブ
８・・ガス発生剤
１１・・スクイブ
１９・・チューブフィット
２３・・吐出口
２４・・蓋
２５・・ノッチ
【図１】
2011018273.tif 000003
【図２】
2011018273.tif 000004
【図３】
2011018273.tif 000005
【図４】
2011018273.tif 000006